(57)【要約】【課題】データ駆動部の集積回路の数を減少させるための表示装置の駆動方法とこれを用いる表示装置を提供する。【解決手段】画像を表すデータ信号を伝達する複数のデータ線とデータ線に電気的に連結された複数の画素回路を含む表示領域と；複数の信号線と；複数の信号線に電気的に連結され，データ信号に対応する第１の信号を時分割して，複数の信号線に伝達するデータ駆動部と；複数の信号線から伝達された第１の信号を逆多重化してデータ信号を生成し，データ信号を少なくとも２本の第１および第２のデータ線に印加する逆多重化部と；を含み，１フレームは第１および第２のフィールドを含み，逆多重化部は第１のフィールドの第１期間にデータ信号を第１のデータ線に印加し，第２のフィールドの第２期間にデータ信号を第２のデータ線に印加し，第１の信号は少なくとも２の色相に対応する信号である。【選択図】    図１
2006018297.tif 000002
【特許請求の範囲】
【請求項１】
逆多重化装置を用いる表示装置において：
画像を表すデータ信号を伝達する複数のデータ線と，前記データ線に電気的に連結された複数の画素回路とを含む表示領域と；
複数の信号線と；
前記複数の信号線に電気的に連結され，前記データ信号に対応する第１の信号を時分割して前記複数の信号線に伝達するデータ駆動部と；
前記データ駆動部から前記複数の信号線を介して伝達された前記第１の信号を逆多重化して，前記データ信号を生成し，前記データ信号を第１のデータ線および第２のデータ線を含む少なくとも２本のデータ線に印加する逆多重化部と；を含み，
１フレームは，第１のフィールドおよび第２のフィールドを含み，
前記逆多重化部は，前記第１のフィールドの第１期間に，前記データ信号を前記第１のデータ線に印加し，
前記第２のフィールドの第２期間に，前記データ信号を前記第２のデータ線に印加し，
前記第１の信号は，少なくとも２の色相に対応する信号であることを特徴とする，表示装置。
【請求項２】
前記逆多重化部は，前記第１のデータ線および前記第２のデータ線に前記データ信号が印加しない間は，ブランク信号を印加することを特徴とする，請求項１に記載の表示装置。
【請求項３】
前記画素回路は，前記データ信号の大きさに対応して発光する発光素子を含み，
前記第１のフィールドの間は，前記第１のデータ線に連結された画素回路が発光し，
前記第２のフィールドの間は，前記第２のデータ線に連結された画素回路が発光することを特徴とする，請求項２に記載の表示装置。
【請求項４】
前記逆多重化部は，前記第１のフィールドの第３期間に，前記データ信号を前記第２のデータ線に印加し，前記第２のフィールドの第４期間に，前記データ信号を前記第１のデータ線に印加することを特徴とする，請求項３に記載の表示装置。
【請求項５】
前記逆多重化部は，隣接した発光画素回路間に，少なくとも一つの非発光画素回路が存在するように，前記データ信号を前記第１のデータ線および前記第２のデータ線に印加することを特徴とする，請求項１に記載の表示装置。
【請求項６】
前記逆多重化部は，一の電極が前記複数の信号線のうちのひとつに連結され，他の電極が前記少なくとも２本のデータ線にそれぞれ連結される少なくとも二つのスイッチング素子を含むことを特徴とする，請求項１〜５のいずれかに記載の表示装置。
【請求項７】
前記表示領域は，相異なる第１〜第３の色相の画素回路が行方向に繰り返し配列され，前記複数のデータ線には，それぞれ同一色相の画素回路が連結されることを特徴とする，請求項６に記載の表示装置。
【請求項８】
前記データ駆動部は，前記第１のデータ線および前記第２のデータ線に連結された前記画素回路の色相に対応する前記データ信号を，時分割して出力することを特徴とする，請求項７に記載の表示装置。
【請求項９】
前記第１のデータ線は奇数番目のデータ線であり，前記第２のデータ線は偶数番目のデータ線であることを特徴とする，請求項１に記載の表示装置。
【請求項１０】
前記データ信号は，電流として供給されることを特徴とする，請求項１に記載の表示装置。
【請求項１１】
逆多重化装置を用いる表示装置に備えられる表示パネルにおいて：
データ信号を伝達する複数のデータ線，選択信号を伝達する複数の走査線，および前記データ線と前記走査線にそれぞれ連結される複数の画素を含む表示領域と；
前記複数の画素に書き込まれるデータ信号を生成し，前記複数のデータ線のうち，第１のデータ線および第２のデータ線に印加されるデータ信号を時分割して，一つの第１の信号として出力するデータ駆動部と；
前記第１の信号を逆多重化して前記データ信号を生成し，前記データ信号を前記第１のデータ線および前記第２のデータ線に印加する逆多重化部と；を含み，
前記表示領域には，少なくとも２の色相を表示する画素が行方向に繰り返し配列され，
前記逆多重化部は，隣接した発光画素のなかで少なくともひとつの非発光画素回路が存在するように，前記データ信号を前記データ線に印加することを特徴とする，表示パネル。
【請求項１２】
前記逆多重化部は，前記データ信号を前記２本のデータ線のいずれか１本に印加する期間において，前記走査線に選択信号が印加される水平周期と同一であることを特徴とする，請求項１１に記載の表示パネル。
【請求項１３】
前記逆多重化部は，前記データ信号を前記２本のデータ線のいずれか１本に印加する間，他方のデータ線にはブランク信号を印加することを特徴とする，請求項１１に記載の表示パネル。
【請求項１４】
１フレームは少なくとも二つのフィールドを含み，各フィールドにおいて前記走査線に前記選択信号が順次印加されることを特徴とする，請求項１１に記載の表示パネル。
【請求項１５】
前記第１フィールドにおいて，前記逆多重化部は，前記複数の走査線のうち，
第１の走査線に選択信号が印加される間，前記データ信号を前記第１のデータ線に印加し，
第２の走査線に前記選択信号が印加される間，前記データ信号を前記第２のデータ線に印加することを特徴とする，請求項１４に記載の表示パネル。
【請求項１６】
前記第２のフィールドにおいて，前記逆多重化部は，
前記第１の走査線に選択信号が印加される間，前記データ信号を前記第２のデータ線に印加し，
前記第２の走査線に前記選択信号が印加される間，前記データ信号を前記第１のデータ線に印加することを特徴とする，請求項１５に記載の表示パネル。
【請求項１７】
データ駆動部から時分割されて入力されるデータ信号を逆多重化するための逆多重化装置において：
第１の制御信号に応じて，前記データ信号を第１のデータ線に伝達する第１のスイッチング素子と；
第２の制御信号に応じて，前記データ信号を第２のデータ線に伝達する第２のスイッチング素子と；を含み，
１フレームは，第１のフィールドおよび第２のフィールドを含み，
前記データ信号は，少なくとも２の色相に対応するデータ電流であり，
前記第１の制御信号と前記第２の制御信号とは，前記第１のフィールドと前記第２のフィールドとにおいて順序を異にして交互に印加されることを特徴とする，逆多重化装置。
【請求項１８】
データ信号を伝達する複数のデータ線と，選択信号を伝達する複数の走査線と，前記データ線および前記走査線にそれぞれ連結される複数の画素とを含む表示パネルの駆動方法において：
前記画素は，相違した色相の画像を表示する少なくとも二つの第１の画素群および第２の画素群を含み，１フレームは少なくとも二つのフィールドに分けられて駆動され，
前記駆動方法は，
前記各フィールドにおいて前記複数の走査線に選択信号を順次印加する第１段階と；
前記第１段階のうち，前記第１の画素群と前記第２の画素群はそれぞれ連結されたデータ線に交互に前記データ信号を伝達する第２段階と；を含み，
前記各フィールドにおいて隣接した発光画素間に少なくとも一つの非発光画素が存在するように，前記第１の画素群および前記第２の画素群が設定されることを特徴とする，表示パネルの駆動方法。
【請求項１９】
前記少なくとも二つのフィールドのいずれか一つのフィールドと他の一つのフィールドにおいて，前記第１の画素群と前記第２の画素群がそれぞれ連結された前記データ線に前記データ信号を伝達する順序は相違するように設定されることを特徴とする，請求項１８に記載の表示パネルの駆動方法。
【請求項２０】
前記データ信号は，電流形態として供給される信号であり，前記画素回路は，前記データ線を介して書き込まれる前記データ信号の大きさに対応して発光することを特徴とする，請求項１８に記載の表示パネルの駆動方法。
【発明の詳細な説明】
【技術分野】
【０００１】
本発明は，逆多重化装置とこれを用いる表示装置に関し，より詳しくは，データ電流を逆多重化（ｄｅｍｕｌｔｉｐｌｅｘｉｎｇ）するための逆多重化装置に関するものである。
【背景技術】
【０００２】
一般に，有機ＥＬ（ｏｒｇａｎｉｃ  ｅｌｅｃｔｒｏｌｕｍｉｎｅｓｃｅｎｃｅ）表示装置は，蛍光性有機化合物を電気的に励起させて発光させる表示装置である。有機ＥＬ表示装置では，Ｎ×Ｍ個の有機発光セルに電圧書込みまたは電流書込みを行って，映像を表現する。有機薄膜は，アノード，有機薄膜，カソードレイヤーなどから成る。また，有機薄膜は，電子と正孔の均衡をよくして発光効率を向上させるため，発光層（ｅｍｉｔｔｉｎｇ  ｌａｙｅｒ；ＥＭＬ），電子輸送層（ｅｌｅｃｔｒｏｎ  ｔｒａｎｓｐｏｒｔ  ｌａｙｅｒ；ＥＴＬ）および正孔輸送層（ｈｏｌｅ  ｔｒａｎｓｐｏｒｔ  ｌａｙｅｒ；ＨＴＬ）を含む多層構造からなり，さらに別途の電子注入層（ｅｌｅｃｔｒｏｎ  ｉｎｊｅｃｔｉｎｇ  ｌａｙｅｒ；ＥＩＬ）および正孔注入層（ｈｏｌｅ  ｉｎｊｅｃｔｉｎｇ  ｌａｙｅｒ；ＨＩＬ）を含む。
【０００３】
有機発光セルを駆動する方式には，パッシブマトリックス（ｐａｓｓｉｖｅ  ｍａｔｒｉｘ）方式と薄膜トランジスタ（Ｔｈｉｎ  Ｆｉｌｍ  Ｔｒａｎｓｉｓｔｏｒ；ＴＦＴ）を用いるアクティブマトリックス（ａｃｔｉｖｅ  ｍａｔｒｉｘ）方式がある。パッシブマトリックス方式は，陽極と陰極を直交するように形成し，ラインを選択して駆動する方式である。一方，アクティブマトリックス方式は，薄膜トランジスタを各ＩＴＯ（Ｉｎｄｉｕｍ  Ｔｉｎ  Ｏｘｉｄｅ）画素電極に接続し，薄膜トランジスタのゲートに接続されたキャパシタ容量により維持された電圧によって駆動する方式である。このアクティブマトリックス方式は，キャパシタに電圧を書き込むために印加される信号の形態によって，電圧書込み（ｖｏｌｔａｇｅ  ｐｒｏｇｒａｍｍｉｎｇ）方式と電流書込み（ｃｕｒｒｅｎｔ  ｐｒｏｇｒａｍｍｉｎｇ）方式に分けられる。
【０００４】
かかる有機ＥＬ表示装置は，走査線を駆動するための走査駆動部とデータ線を駆動するためのデータ駆動部とを備えることが必要である。このとき，データ駆動部は，デジタルデータ信号をアナログ信号に変換して全てのデータ線に印加しなければならないので，データ線の数に対応する出力端子を持たなければならない。
【発明の開示】
【発明が解決しようとする課題】
【０００５】
しかし，一般に，データ駆動部は複数の集積回路から製作され，一つの集積回路が有する出力端子の数が制限されている。そのため，全てのデータ線を駆動するためには，多くの集積回路を使用しなければならないという問題があった。
【０００６】
そこで，本発明は，上記問題に鑑みてなされたものであり，本発明の目的とするところは，データ駆動部の集積回路の数を減少させることの可能な，新規かつ改良された表示装置の駆動方法とこれを用いる表示装置を提供することにある。
【課題を解決するための手段】
【０００７】
上記課題を解決するために，本発明のある観点によれば，逆多重化装置を用いる表示装置において，画像を表すデータ信号を伝達する複数のデータ線と，データ線に電気的に連結された複数の画素回路とを含む表示領域と；複数の信号線と；複数の信号線に電気的に連結され，データ信号に対応する第１の信号を時分割して複数の信号線に伝達するデータ駆動部と；データ駆動部から複数の信号線を介して伝達された第１の信号を逆多重化して，データ信号を生成し，データ信号を少なくとも２本の第１のデータ線および第２のデータ線に印加する逆多重化部と；を含み，１フレームは，第１のフィールドおよび第２のフィールドを含み，逆多重化部は，第１のフィールドの第１期間に，データ信号を第１のデータ線に印加し，第２のフィールドの第２期間に，データ信号を第２のデータ線に印加し，第１の信号は，少なくとも２の色相に対応する信号であることを特徴とする表示装置が提供される。
【０００８】
ここで，逆多重化部は，第１のデータ線および第２のデータ線にデータ信号が印加しない間は，ブランク信号を印加するのが望ましい。また，逆多重化部は，第１のフィールドの第３期間に，データ信号を第２のデータ線に印加して，第２のフィールドの第４期間に，データ信号を第１のデータ線に印加するようにしてもよい。さらに，逆多重化部は，隣接した発光画素回路間に，少なくとも一つの非発光画素回路が存在するように，データ信号を第１のデータ線および第２のデータ線に印加するのがよい。また，逆多重化部は，一の電極が複数の信号線のうちのひとつに連結され，他の電極が少なくとも２本のデータ線にそれぞれ連結される少なくとも二つのスイッチング素子を含むことが好ましい。
【０００９】
また，画素回路は，データ信号の大きさに対応して発光する発光素子を含み，第１のフィールドの間は，第１のデータ線に連結された画素回路が発光し，第２のフィールドの間は，第２のデータ線に連結された画素回路が発光することを特徴とする。ここで，データ信号は，例えば，電流として供給される。
【００１０】
一方，表示領域は，相異なる第１〜第３の色相の画素回路が行方向に繰り返し配列され，複数のデータ線には，それぞれ同一色相の画素回路が連結されるようにしてもよい。
【００１１】
そして，データ駆動部は，第１のデータ線および第２のデータ線に連結された画素回路の色相に対応するデータ信号を，時分割して出力するようにしてもよい。
【００１２】
このとき，例えば，第１のデータ線を奇数番目のデータ線とし，第２のデータ線を偶数番目のデータ線としてもよい。
【００１３】
上記課題を解決するために，本発明の別の観点によれば，逆多重化装置を用いる表示装置に備えられる表示パネルにおいて，データ信号を伝達する複数のデータ線，選択信号を伝達する複数の走査線，およびデータ線と走査線にそれぞれ連結される複数の画素を含む表示領域と；複数の画素に書き込まれるデータ信号を生成し，複数のデータ線のうち，第１のデータ線および第２のデータ線に印加されるデータ信号を時分割して，一つの第１の信号として出力するデータ駆動部と；第１の信号を逆多重化してデータ信号を生成し，データ信号を第１のデータ線および第２のデータ線に印加する逆多重化部と；を含み，表示領域には，少なくとも２の色相を表示する画素が行方向に繰り返し配列され，逆多重化部は，隣接した発光画素のなかで少なくともひとつの非発光画素回路が存在するように，データ信号をデータ線に印加することを特徴とする表示パネルが提供される。
【００１４】
上記課題を解決するために，本発明の別の観点によれば，データ駆動部から時分割されて入力されるデータ信号を逆多重化するための逆多重化装置において，第１制御信号に応じて前記データ信号を第１データ線に伝達する第１スイッチング素子と，第２制御信号に応じて前記データ信号を第２データ線に伝達する第２スイッチング素子とを含み，前記第１データ線と前記第２データ線に伝達される前記データ電流は相違した駆動範囲を有し，前記第１制御信号と前記第２制御信号は１フレームの間に順序を異にして交互に印加されることを特徴とする逆多重化装置が提供される。
【００１５】
ここで，逆多重化部は，データ信号を２本のデータ線のいずれか１本に印加する期間において，走査線に選択信号が印加される水平周期と同一であることを特徴とする。また，逆多重化部は，データ信号を２本のデータ線のいずれか１本に印加する間，他方のデータ線にはブランク信号を印加するようにしてもよい。
【００１６】
ここで，例えば，１フレームは少なくとも二つのフィールドを含み，各フィールドにおいて走査線に選択信号が順次印加される。このとき，第１のフィールドにおいて，逆多重化部は，複数の走査線のうち，第１の走査線に選択信号が印加される間，データ信号を第１のデータ線に印加し，第２の走査線に選択信号が印加される間，データ信号を第２のデータ線に印加する。一方，第２のフィールドにおいて，逆多重化部は，第１の走査線に選択信号が印加される間，データ信号を第２のデータ線に印加し，第２の走査線に選択信号が印加される間，データ信号を第１のデータ線に印加する，としてもよい。
【００１７】
また，上記課題を解決するために，本発明の別の観点によれば，データ駆動部から時分割されて入力されるデータ信号を逆多重化するための逆多重化装置において，第１の制御信号に応じて，データ信号を第１のデータ線に伝達する第１のスイッチング素子と；第２の制御信号に応じて，データ信号を第２のデータ線に伝達する第２のスイッチング素子と；を含み，１フレームは，第１のフィールドおよび第２のフィールドを含み，データ信号は，少なくとも２の色相に対応するデータ電流であり，第１の制御信号と第２の制御信号とは，第１のフィールドと第２のフィールドとにおいて順序を異にして交互に印加されることを特徴とする，逆多重化装置が提供される。
【００１８】
さらに，上記課題を解決するために，本発明の別の観点によれば，データ信号を伝達する複数のデータ線と，選択信号を伝達する複数の走査線と，データ線および走査線にそれぞれ連結される複数の画素とを含む表示パネルの駆動方法において，画素は，相違した色相の画像を表示する少なくとも二つの第１の画素群および第２の画素群を含み，１フレームは少なくとも二つのフィールドに分けられて駆動され，駆動方法は，各フィールドにおいて複数の走査線に選択信号を順次印加する第１段階と；第１段階のうち，第１の画素群と第２の画素群はそれぞれ連結されたデータ線に交互にデータ信号を伝達する第２段階と；を含み，各フィールドにおいて隣接した発光画素間に少なくとも一つの非発光画素が存在するように，第１の画素群および第２の画素群が設定されることを特徴とする，表示パネルの駆動方法が提供される。
【００１９】
ここで，少なくとも二つのフィールドのいずれか一つのフィールドと他の一つのフィールドにおいて，第１の画素群と第２の画素群がそれぞれ連結されたデータ線にデータ信号を伝達する順序は，異なるように設定するのがよい。
【００２０】
また，データ信号は，例えば，電流形態として供給される信号であってもよい。一方，画素回路は，データ線を介して書き込まれるデータ信号の大きさに対応して発光するようにしてもよい。
【発明の効果】
【００２１】
以上説明したように，本発明によれば，データ駆動部から出力されるデータ信号を逆多重化してデータ線に印加することにより，データ駆動部の集積回路の数を減少させることができる。
【００２２】
また，デューティ駆動方式で画素回路を駆動し，フレームを複数のフィールドに分け，それぞれの画素を交互に点灯させることにより，表示パネルで発生するフリッカー問題を除去することができる。
【００２３】
さらに，赤色，緑色，青色を表示する副画素を複数のフィールドで交互に点灯させることにより，表示パネルに表示される画像が粗く見える問題を改善することができる。
【発明を実施するための最良の形態】
【００２４】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２５】
なお，各図面において，本発明の内容と関係ない部分の説明は省略した。また，ある一の部分が他の部分に連結されているとするとき，この連結は直接的に連結された場合だけでなく，その間にほかの素子を介して電気的に連結されている場合も含む。
【００２６】
以下，本実施形態にかかる逆多重化装置およびこれを用いる表示装置について，詳細に説明する。
【００２７】
図１は，本実施形態にかかる表示装置を示すものである。
【００２８】
図１に示すように，本実施形態による表示装置は，表示パネル１００と，選択走査駆動部２００と，発光走査駆動部３００と，データ駆動部４００と，逆多重化部５００とを含む。
【００２９】
表示パネル１００には，複数のデータ線Ｄａｔａ［１］〜Ｄａｔａ［ｍ］と，複数の選択走査線ｓｅｌｅｃｔ１［１］〜ｓｅｌｅｃｔ１［ｎ］と，複数の発光走査線ｓｅｌｅｃｔ２［１］〜ｓｅｌｅｃｔ２［ｎ］と，複数の画素回路１１０とを含む。複数のデータ線Ｄａｔａ［１］〜Ｄａｔａ［ｍ］は，列方向に伸びて，画像を表すデータ電流を画素回路１１０に伝達する。また，複数の選択走査線ｓｅｌｅｃｔ１［１］〜ｓｅｌｅｃｔ１［ｎ］と複数の発光走査線ｓｅｌｅｃｔ２［１］〜ｓｅｌｅｃｔ２［ｎ］は，複数のデータ線線Ｄａｔａ［１］〜Ｄａｔａ［ｍ］と直交するように行方向に伸びて，それぞれ選択信号発光信号を各画素回路１１０に伝達する。そして，各画素回路１１０は，相隣接するデータ線と相隣接する２本の走査線とによって決定される領域に形成される。
【００３０】
選択走査駆動部２００は，選択走査線ｓｅｌｅｃｔ１［１］〜ｓｅｌｅｃｔ１［ｎ］に選択信号を順次印加する。一方，発光走査駆動部３００は，発光走査線ｓｅｌｅｃｔ２［１］〜ｓｅｌｅｃｔ２［ｎ］に発光信号を順次印加する。また，データ駆動部４００は，信号線ＳＰ［１］〜ＳＰ［ｍ′］を介して，データ電流を逆多重化部５００に出力する。そして，逆多重化部５００は，信号線ＳＰ［１］〜ＳＰ［ｍ′］を介して入力されたデータ電流を逆多重化して，データ線Ｄａｔａ［１］〜Ｄａｔａ［ｍ］に伝達する。
【００３１】
本実施形態にかかる逆多重化部５００は，例えば，１：２形態の逆多重化装置であり，データ駆動部４００から入力されるデータ信号を２本のデータ線に分割して印加する。なお，逆多重化部５００の形態は，上記の比率に限らず，１：３，１：４などの１：Ｎ逆多重化装置を用いることもできる。また，Ｎを３以下の整数に設定することが好ましい。
【００３２】
選択走査駆動部２００と，発光走査駆動部３００と，データ駆動部４００および／または逆多重化部５００とは，表示パネル１００に電気的に連結され，あるいは表示パネル１００に接着されて，電気的に連結されたテープキャリアパッケージ（ｔａｐｅ  ｃａｒｒｉｅｒ  ｐａｃｋａｇｅ；ＴＣＰ）にチップなどの形態として装着することができる。また，表示パネル１００に接着されて電気的に連結された可撓性印刷回路（ｆｌｅｘｉｂｌｅ  ｐｒｉｎｔｅｄ  ｃｉｒｃｕｉｔ；ＦＰＣ）またはフィルムなどにチップなどの形態として装着することもできる。これとは異なり，選択走査駆動部２００と，発光走査駆動部３００と，データ駆動部４００および／または逆多重化部５００とは，表示パネル１００のガラス基板上に直接装着したり，あるいはガラス基板上に各走査線，データ線および薄膜トランジスタと同一層に形成された駆動回路と代替することもできる。
【００３３】
以上，図１に基づいて，本実施形態にかかる表示装置について説明した。
【００３４】
次に，図２に基づいて，本実施形態にかかる逆多重化部５００について説明する。
【００３５】
図２は，本実施形態にかかる逆多重化部５００の内部構成を示す回路図である。
【００３６】
図２に示すように，逆多重化部５００は，信号線ＳＰ［１］〜ＳＰ［ｍ′］を介してデータ駆動部４００に連結される。そして，１本の信号線ＳＰ［ｉ］から印加されたデータ信号を，例えば，２本のデータ線Ｄａｔａ［２ｉ−１］およびＤａｔａ［２ｉ］に伝達する。このとき，１本の信号線ＳＰ［ｉ］には二つのスイッチング素子Ｓ１およびＳ２が連結され，スイッチング素子Ｓ１はデータ線Ｄａｔａ［２ｉ−１］に，Ｓ２はデータ線Ｄａｔａ［２ｉ］に連結される。
【００３７】
スイッチング素子Ｓ１およびＳ２は，印加される制御信号に応じて交互にオン／オフされ，信号線ＳＰ［ｉ］からのデータ信号をそれぞれデータ線Ｄａｔａ［２ｉ−１］およびＤａｔａ［２ｉ］に伝達する。このようなスイッチング素子Ｓ１およびＳ２としては，例えば，ＮＭＯＳ（ｎｅｇａｔｉｖｅ  Ｍｅｔａｌ−Ｏｘｉｄｅ  Ｓｅｍｉｃｏｎｄｕｃｔｏｒ）またはＰＭＯＳ（ｐｏｓｉｔｉｖｅ  Ｍｅｔａｌ−Ｏｘｉｄｅ  Ｓｅｍｉｃｏｎｄｕｃｔｏｒ）などのトランジスタ，またはこれと類似したスイッチング素子を使用することができる。
【００３８】
以上，図２に基づいて，本実施形態にかかる逆多重化部５００について説明した。
【００３９】
次に，本実施形態にかかる逆多重化部５００の動作について説明する。
【００４０】
（第１の実施形態）
図３は，第１の実施形態にかかる逆多重化部５００と画素回路１１０の連結関係を示した図である。図３は，データ線Ｄａｔａ［２ｉ−１］およびＤａｔａ［２ｉ］と，走査線ｓｅｌｅｃｔ［ｊ］およびｓｅｌｅｃｔ２［ｊ］とに連結される第１の画素回路１１０ａ，および第２の画素回路１１０ｂを代表的に示す。
【００４１】
第１の画素回路１１０ａは，トランジスタＭ１〜Ｍ４，キャパシタＣｓｔ，および有機ＥＬ素子ＯＬＥＤを含む。また，第２の画素回路１１０ｂは，トランジスタＭ１′〜Ｍ４′，キャパシタＣｓｔ′，および有機ＥＬ素子ＯＬＥＤ′を含む。
【００４２】
まず，選択走査線ｓｅｌｅｃｔ１［ｊ］からの選択信号がローレベルになると，トランジスタＭ１，Ｍ２，Ｍ１′，Ｍ２′がターンオンされる。このとき，スイッチング素子Ｓ１がターンオンされると，信号線ＳＰ［ｉ］からのデータ信号が，データ線Ｄａｔａ［２ｉ−１］を介して，第１の画素回路１１０ａに印加される。したがって，トランジスタＭ１，Ｍ２によりトランジスタＭ３がダイオード連結状態となり，データ線Ｄａｔａ［２ｉ−１］からのデータ信号に対応する電圧がキャパシタＣｓｔに書き込まれる。
【００４３】
次いで，スイッチング素子Ｓ２がターンオンされると，信号線ＳＰ［ｉ］からのデータ信号がデータ線Ｄａｔａ［２ｉ］を介して，第２の画素回路１１０ｂに印加される。また，トランジスタＭ１′，Ｍ２′によりトランジスタＭ３′がダイオード連結されるので，データ線Ｄａｔａ［２ｉ］からのデータ信号に対応する電圧がキャパシタＣｓｔ′に書き込まれる。このとき，スイッチング素子Ｓ１はターンオフされているので，データ線Ｄａｔａ［２ｉ−１］を介して０Ａの電流が伝達され，キャパシタＣｓｔには０Ａに対応する電圧（ブランク信号）が書き込まれる。
【００４４】
したがって，発光走査線ｓｅｌｅｃｔ２［ｊ］からの発光信号に応じてトランジスタＭ４，Ｍ４′がターンオンされて，第１の画素回路１１０ａ，第２の画素回路１１０ｂが発光させるとき，第１の画素回路１１０ａにおいては，０Ａの電流が有機ＥＬ素子ＯＬＥＤに流れることになる。すなわち，第１の画素回路１１０ａは元の諧調が表示できず，ブランク状態となる。
【００４５】
このような問題点を解決するためには，第１の画素回路１１０ａと第２の画素回路１１０ｂに対して別途の走査線を使用することができる。しかし，このように別途の走査線を追加すると，配線が増えるため開口率が減少し，追加走査線を制御するための走査ドライバも追加しなければならない。そのため，製作コストが上昇することになる。
【００４６】
したがって，このような問題点を補完するため，第２の実施形態にかかる逆多重化部５００では，１フレームを複数のフィールドに区分し，隣接した二つの画素回路に交互にデータ電流を書き込む。
【００４７】
以下では，１フレームを第１のフィールドおよび第２のフィールドに区分し，第１のフィールドおよび第２のフィールドに隣接した二つの画素回路に交互にデータ電流を書き込む場合を中心に説明する。なお，このような１フレームの区分は変更可能であり，三つ以上の複数のフィールドに区分することもできる。また。フィールドごとに長さが相違するように設定することもできる。
【００４８】
以下，図４〜図７に基づき，第２の実施形態にかかる逆多重化部５００の動作について説明する。
【００４９】
（第２の実施形態）
まず，図４および図５に基づき，第１のフィールドでの逆多重化部５００の動作を説明する。図４は，第１のフィールドでの逆多重化部５００の駆動タイミングを示すものであり，図５は，第１のフィールドで点灯する画素を示すものである。
【００５０】
第１のフィールドにおいては，図４に示すように，選択信号が選択走査線ｓｅｌｅｃｔ１［１］〜ｓｅｌｅｃｔ１［ｎ］に印加される間にスイッチング素子Ｓ１，Ｓ２を交互にオン／オフさせる。
【００５１】
すなわち，選択走査線ｓｅｌｅｃｔ１［１］に選択信号が印加されるときは，スイッチング素子Ｓ１をターンオンされ，スイッチング素子Ｓ２をターンオフされる。この場合，データ線Ｄａｔａ［２ｉ−１］にだけデータ信号が印加され，データ線Ｄａｔａ［２ｉ］ではデータ信号が遮断される。したがって，発光走査線ｓｅｌｅｃｔ２［１］に発光信号が印加されると，選択走査線ｓｅｌｅｃｔ１［１］とデータ線Ｄａｔａ［２ｉ−１］に連結される第１の画素回路１１０ａは発光する。一方，選択走査線ｓｅｌｅｃｔ１［１］とデータ線Ｄａｔａ［２ｉ］に連結される第２の画素回路１１０ｂは，ブランク状態となり発光しない。
【００５２】
このような発光信号は，選択走査線ｓｅｌｅｃｔ１［１］に印加される選択信号のイネーブル区間が終わった後，発光走査線ｓｅｌｅｃｔ２［１］に印加されることが好ましい。また，例えば，発光信号を伝達する発光走査線ｓｅｌｅｃｔ２［１］〜ｓｅｌｅｃｔ２［ｎ］を除去し，図３の画素回路において，トランジスタＭ４，Ｍ４′をＮＭＯＳトランジスタで取り替える。その後，トランジスタＭ４，Ｍ４′のゲートを選択走査線ｓｅｌｅｃｔ１［１］〜ｓｅｌｅｃｔ１［ｎ］に連結する。そうすると，選択信号のイネーブル区間が終わると同時に，画素回路が発光するようにすることもできる。
【００５３】
次いで，選択走査線ｓｅｌｅｃｔ１［２］に選択信号が印加されて，スイッチング素子Ｓ２がターンオンされ，スイッチング素子Ｓ１がターンオフされる。すると，データ線Ｄａｔａ［２ｉ］にだけデータ信号が印加され，データ線Ｄａｔａ［２ｉ−１］にはデータ信号が遮断される。したがって，発光走査線ｓｅｌｅｃｔ２［２］に発光信号が印加されると，選択走査線ｓｅｌｅｃｔ１［２］とデータ線Ｄａｔａ［２ｉ］が連結される画素回路（図示せず）は発光する。一方，選択走査線ｓｅｌｅｃｔ１［２］とデータ線Ｄａｔａ［２ｉ−１］が連結される画素回路（図示せず）は，ブランク状態となり発光しない。
【００５４】
このような方法により，選択走査線ｓｅｌｅｃｔ１［３］〜ｓｅｌｅｃｔ１［ｎ］に選択信号が印加される間，スイッチング素子Ｓ１およびスイッチング素子Ｓ２を交互にオン／オフさせて，データ線Ｄａｔａ［２ｉ−１］とデータ線Ｄａｔａ［２ｉ］にデータ信号を順次印加する。そうすると，図５に示すように，第１のフィールドにおいては，奇数番目の選択走査線ｓｅｌｅｃｔ１［２ｊ−１］と奇数番目のデータ線Ｄａｔａ［２ｉ−１］に連結された画素回路と，偶数番目の選択走査線ｓｅｌｅｃｔ１［２ｊ］と偶数番目のデータ線Ｄａｔａ［２ｉ］に連結された画素回路にのみデータ信号が書き込まれる。そして，データ信号が書き込まれた画素回路は，後述する第２のフィールドによりブランク状態となるまで，すなわち１フレームのおよそ１／２期間の間発光する。また，発光信号のタイミングを調節することで，これら画素回路が発光する期間を短くすることもできる。
【００５５】
以下，図６および図７に基づいて，第２のフィールドでの逆多重化部５００の動作を説明する。図６は，第２のフィールドでの逆多重化部５００の駆動タイミングを示すものであり，図７は，第２のフィールドで点灯する画素を示すものである。
【００５６】
第２のフィールドにおいては，図６に示すように，選択信号が選択走査線ｓｅｌｅｃｔ１［１］〜ｓｅｌｅｃｔ１［ｎ］に印加される間，２本の隣接したデータ線Ｄａｔａ［２ｉ］およびデータ線Ｄａｔａ［２ｉ−１］に交互にデータ信号が印加されるように，スイッチング素子Ｓ２，Ｓ１をオン／オフさせる。
【００５７】
ここで，第２のフィールドにおいては，第１のフィールドと反対に，スイッチング素子Ｓ１，Ｓ２をオン／オフさせることにより，図７に示すように，第１のフィールドで点灯した画素回路が消灯するようにする。
【００５８】
以上のように，第２の実施形態にかかる駆動方法においては，１フレームのおよそ半分の期間にだけ発光させるデューティ駆動方式を用いる。そのため，一般の駆動方式に比べ，データ電流の大きさを２倍に増大させることができる。このように，データ電流の大きさを２倍にすると，逆多重化部５００の使用により発生するデータ書込み時間を短縮することができる。
【００５９】
また，本実施形態によるデューティ駆動方式は，隣接した画素回路を交互に点灯させるため，従来のデューティ駆動方式で発生するフリッカー現象（画面のゆれやちらちき）を改善することができる。
【００６０】
次に，図８〜図１１に基づき，一つの画素が複数の副画素を含む場合の駆動方法について説明する。
【００６１】
図８および図９は，第３および第４の実施形態による逆多重化部５００と副画素の連結関係を示すものである。また，図１０および図１１は，第１および第２のフィールドにおいて第３および第４の実施形態による逆多重化部５００の駆動タイミングを示すものである。
【００６２】
図８および図９においては，赤色（ｒｅｄ），緑色（ｇｒｅｅｎ），青色（ｂｌｕｅ）の副画素が行方向に交互に配列され，列方向に同一色相の副画素が配列されているものとする。そして，赤色，緑色，青色の副画素がそれぞれ二つずつあるものと仮定し，二つより多い場合にも，図８および図９に示すものと同一のパターンに連結される。
【００６３】
以下，副画素１１０Ｒ，１１０Ｇ，１１０Ｂを含む一つの画素を第１の画素といい，副画素１２０Ｒ，１２０Ｇ１２０Ｂを含む一つの画素を第２の画素という。
【００６４】
（第３の実施形態）
第３の実施形態では，図８に示すように，各信号線ＳＰ［ｉ−１］，ＳＰ［ｉ］，ＳＰ［ｉ＋１］は，隣接した第１および第２の画素の副画素のうち，同一色相を表示する副画素のデータ線に連結されている。そして，各信号線ＳＰ［ｉ−１］，ＳＰ［ｉ］，ＳＰ［ｉ＋１］は所定の１の色相に対応するデータ電流を伝達する。
【００６５】
具体的には，信号線ＳＰ［ｉ−１］には，赤色に対応するデータ信号が印加される。このとき，スイッチング素子Ｓ１，Ｓ２を介して，データ電流をデータ線Ｄａｔａ［２ｉ−３］，Ｄａｔａ［２ｉ］に交互に印加する。
【００６６】
また，信号線ＳＰ［ｉ］には，緑色に対応するデータ信号が印加される。このとき，スイッチング素子Ｓ３，Ｓ４を介して，データ電流をデータ線Ｄａｔａ［２ｉ−２］，Ｄａｔａ［２ｉ＋１］に交互に印加する。
【００６７】
そして，信号線ＳＰ［ｉ＋１］には，青色に対応するデータ信号が印加される。このとき，スイッチング素子Ｓ５，Ｓ６を介して，データ電流をデータ線Ｄａｔａ［２ｉ−１］，Ｄａｔａ［２ｉ＋２］に交互に印加する。
【００６８】
次に，図１０および図１１に基づき，第３の実施形態にかかる逆多重化部５００の動作を詳細に説明する。
【００６９】
第１のフィールドにおいて，選択走査線ｓｅｌｅｃｔ１［１］〜ｓｅｌｅｃｔ１［ｎ］に選択信号が印加される間，１本の信号線に連結された２本のデータ線に交互にデータ信号が印加されるように，スイッチング素子Ｓ１〜Ｓ６をオン／オフさせる。
【００７０】
すなわち，選択走査線ｓｅｌｅｃｔ１［１］に選択信号が印加される間，素子Ｓ１，Ｓ３，Ｓ５をターンオンさせ，スイッチング素子Ｓ２，Ｓ４，Ｓ６をターンオフさせる。そうすると，データ線Ｄａｔａ［２ｉ−３］，Ｄａｔａ［２ｉ−２］，Ｄａｔａ［２ｉ−１］にだけデータ信号が印加され，データ線Ｄａｔａ［２ｉ］，Ｄａｔａ［２ｉ＋１］，Ｄａｔａ［２ｉ＋２］ではデータ信号が遮断される。
【００７１】
したがって，発光走査線ｓｅｌｅｃｔ２［１］に発光信号が印加されると，第１の画素の副画素１１０Ｒ，１１０Ｇ，１１０Ｂが点灯し，第２の画素の副画素１２０Ｒ，１２０Ｇ，１２０Ｂは消灯する。すなわち，第１の画素のみ発光して，データ信号に対応する画像を表示する。
【００７２】
その後，選択走査線ｓｅｌｅｃｔ１［２］に選択信号が印加される間，スイッチング素子Ｓ２，Ｓ４，Ｓ６をターンオンさせ，スイッチング素子Ｓ１，Ｓ３，Ｓ５をターンオフさせる。そうすると，データ線Ｄａｔａ［２ｉ］，Ｄａｔａ［２ｉ＋１］，Ｄａｔａ［２ｉ＋２］にはデータ信号が印加され，データ線Ｄａｔａ［２ｉ−３］，Ｄａｔａ［２ｉ−２］，Ｄａｔａ［２ｉ−１］ではデータ信号が遮断される。
【００７３】
したがって，発光走査線ｓｅｌｅｃｔ２［２］に発光信号が印加されると，選択走査線ｓｅｌｅｃｔ１［２］およびデータ線Ｄａｔａ［２ｉ］，Ｄａｔａ［２ｉ＋１］，Ｄａｔａ［２ｉ＋２］に連結された副画素を含む画素（図示せず）は発光する。一方，選択走査線ｓｅｌｅｃｔ１［２］およびデータ線Ｄａｔａ［２ｉ−３］，Ｄａｔａ［２ｉ−２］，Ｄａｔａ［２ｉ−１］に連結された副画素を含む画素（図示せず）は発光しない。
【００７４】
このような方法により，選択走査線ｓｅｌｅｃｔ１［３］〜ｓｅｌｅｃｔ１［ｎ］に選択信号が印加される間，スイッチング素子Ｓ１〜Ｓ６をオン／オフさせると，奇数番目の選択走査線に連結された画素のうち奇数番目の画素と，偶数番目の選択走査線に連結された画素のうち偶数番目の画素にだけデータ信号が書き込まれる。したがって，第２のフィールドでブランク状態となるまで発光することになる。
【００７５】
第２のフィールドの間は，第１のフィールドと反対に，スイッチング素子Ｓ１〜Ｓ６がオン／オフされ，第１のフィールドで消灯した画素が点灯する。
【００７６】
すなわち，選択走査線ｓｅｌｅｃｔ１［１］に選択信号が印加される間，スイッチング素子Ｓ２，Ｓ４，Ｓ６をターンオンさせ，スイッチング素子Ｓ１，Ｓ３，Ｓ５をターンオフさせる。そうすると，データ線Ｄａｔａ［２ｉ］，Ｄａｔａ［２ｉ＋１］，Ｄａｔａ［２ｉ＋２］にはデータ信号が印加され，データ線Ｄａｔａ［２ｉ−３］，Ｄａｔａ［２ｉ−２］，Ｄａｔａ［２ｉ−１］ではデータ信号が遮断される。
【００７７】
したがって，発光走査線ｓｅｌｅｃｔ２［１］に発光信号が印加されると，第２の画素の副画素１２０Ｒ，１２０Ｇ，１２０Ｂが点灯し，第１の画素の副画素１１０Ｒ，１１０Ｇ，１１０Ｂは消灯する。すなわち，第２の画素のみが発光して，データ信号に対応する画像を表示する。
【００７８】
その後，選択走査線ｓｅｌｅｃｔ１［２］に選択信号が印加される間，スイッチング素子Ｓ１，Ｓ３，Ｓ５をターンオンさせ，スイッチング素子Ｓ２，Ｓ４，Ｓ６をターンオフさせる。そうすると，データ線Ｄａｔａ［２ｉ−３］，Ｄａｔａ［２ｉ−２］，Ｄａｔａ［２ｉ−１］にはデータ信号が印加され，データ線Ｄａｔａ［２ｉ］，Ｄａｔａ［２ｉ＋１］，Ｄａｔａ［２ｉ＋２］ではデータ信号が遮断される。
【００７９】
したがって，発光走査線ｓｅｌｅｃｔ２［２］に発光信号が印加されると，選択走査線ｓｅｌｅｃｔ１［２］およびデータ線Ｄａｔａ［２ｉ−３］，Ｄａｔａ［２ｉ−２］，Ｄａｔａ［２ｉ−１］に連結された副画素は発光する。一方，選択走査線ｓｅｌｅｃｔ１［２］およびデータ線Ｄａｔａ［２ｉ］，Ｄａｔａ［２ｉ＋１］，Ｄａｔａ［２ｉ＋２］に連結された副画素は発光しなくなる。
【００８０】
このような方法により，選択走査線ｓｅｌｅｃｔ１［３］〜ｓｅｌｅｃｔ１［ｎ］に選択信号が印加される間，スイッチング素子Ｓ１〜Ｓ６をオン／オフさせる。これにより，奇数番目の選択走査線に連結された画素のうち偶数番目の画素と，偶数番目の選択走査線に連結された画素のうち奇数番目の画素とにのみ，データ信号が書き込まれて発光することになる。
【００８１】
以上説明したように，第３の実施形態によると，隣接した画素を交互に点灯させることにより，データ電流の大きさを約２倍に増大させることができる。これにより，デューティ駆動方式で発生するフリッカー問題を解決することができる。
【００８２】
しかし，第３の実施形態のように，１フレームを複数のフィールドに分け，各フィールドで画素を単位に点灯させる場合，それぞれのフィールドで発光しない画素（つまり，ブラック画素）のパターンが表示パネル上に瞬間的に現れる。このパターンが観察者により認識されてしまうという問題がある。すなわち，上下左右に隣り合う二つの発光素子間に少なくとも一つの非発光画素が存在する場合，この非発光画素の大きさと数とが表示装置の画質に多大な影響を及ぼすことになる。そこで，このような問題を解決するため，第４の実施形態では隣接した副画素が交互に点灯させる。
【００８３】
（第４の実施形態）
図９は，第４の実施形態による逆多重化部５００と副画素の連結関係を示すものである。
【００８４】
図９に示すように，信号線ＳＰ［ｉ−１］には，赤色に対応するデータ電流と緑色に対応するデータ電流が交互に印加され，スイッチング素子Ｓ１，Ｓ２が交互にオン／オフされることにより，データ電流がデータ線Ｄａｔａ［２ｉ−３］，Ｄａｔａ［２ｉ−２］に書き込まれる。
【００８５】
また，信号線ＳＰ［ｉ］には，青色に対応するデータ電流と赤色に対応するデータ電流が交互に印加され，スイッチング素子Ｓ３，Ｓ４が交互にオン／オフされることにより，データ電流がデータ線Ｄａｔａ［２ｉ−１］，Ｄａｔａ［２ｉ］に書き込まれる。
【００８６】
そして，信号線ＳＰ［ｉ＋１］には，緑色に対応するデータ電流と青色に対応するデータ電流が交互に印加され，スイッチング素子Ｓ５，Ｓ６が交互にオン／オフされることにより，データ電流がデータ線Ｄａｔａ［２ｉ＋１］，Ｄａｔａ［２ｉ＋２］に交互に書き込まれる。
【００８７】
次に，図１０および図１１に基づき，第４の実施形態にかかる逆多重化方法を詳細に説明する。
【００８８】
第１のフィールドにおいて，選択走査線ｓｅｌｅｃｔ１［１］に選択信号が印加される間，スイッチング素子Ｓ１，Ｓ３，Ｓ５をターンオンさせ，スイッチング素子Ｓ２，Ｓ４，Ｓ６をターンオフさせる。そうすると，データ線Ｄａｔａ［２ｉ−３］，Ｄａｔａ［２ｉ−１］，Ｄａｔａ［２ｉ＋１］にだけデータ信号が印加され，データ線Ｄａｔａ［２ｉ−２］，Ｄａｔａ［２ｉ］，Ｄａｔａ［２ｉ＋２］ではデータ信号が遮断される。
【００８９】
したがって，発光走査線ｓｅｌｅｃｔ２［１］に発光信号が印加されると，副画素１１０Ｒ，１１０Ｂ，１２０Ｇが発光し，副画素１１０Ｇ，１２０Ｒ，１２０Ｂはブランク状態となって発光しない。
【００９０】
次いで，選択走査線ｓｅｌｅｃｔ１［２］に選択信号が印加される間，スイッチング素子Ｓ２，Ｓ４，Ｓ６をターンオンさせ，スイッチング素子Ｓ１，Ｓ３，Ｓ５をターンオフさせる。そうすると，データ線Ｄａｔａ［２ｉ−２］，Ｄａｔａ［２ｉ］，Ｄａｔａ［２ｉ＋２］にはデータ信号が印加され，データ線Ｄａｔａ［２ｉ−３］，Ｄａｔａ［２ｉ−１］，Ｄａｔａ［２ｉ＋１］ではデータ信号が遮断される。
【００９１】
したがって，発光走査線ｓｅｌｅｃｔ２［２］に発光信号が印加されると，選択走査線ｓｅｌｅｃｔ１［２］およびデータ線Ｄａｔａ［２ｉ−２］，Ｄａｔａ［２ｉ］，Ｄａｔａ［２ｉ＋２］に連結された副画素（図示せず）は発光する。一方，選択走査線ｓｅｌｅｃｔ１［２］およびデータ線Ｄａｔａ［２ｉ−３］，Ｄａｔａ［２ｉ−１］，Ｄａｔａ［２ｉ＋１］に連結された副画素（図示せず）は発光しない。
【００９２】
このような方法でスイッチング素子Ｓ１〜Ｓ６を交互にオン／オフさせると，奇数番目の選択走査線と奇数番目のデータ線に連結された副画素と，偶数番目の選択走査線と偶数番目のデータ線に連結された副画素とにのみ，データ信号が書き込まれる。そして，データ信号が書き込まれた副画素は，第２のフィールドによりブランク状態となるまで，発光することになる。
【００９３】
第２のフィールドの間は，図１１に示すように，選択走査線ｓｅｌｅｃｔ１［１］に選択信号が印加されるとき，スイッチング素子Ｓ２，Ｓ４，Ｓ６をターンオンさせ，スイッチング素子Ｓ１，Ｓ３，Ｓ５をターンオフさせる。これにより，データ線Ｄａｔａ［２ｉ−２］，Ｄａｔａ［２ｉ］，Ｄａｔａ［２ｉ＋１］にだけデータ信号が印加され，データ線Ｄａｔａ［２ｉ−３］，Ｄａｔａ［２ｉ−１］，Ｄａｔａ［２ｉ＋１］ではデータ信号が遮断される。
【００９４】
したがって，発光走査線ｓｅｌｅｃｔ２［１］に発光信号が印加されると，副画素１１０Ｇ，１２０Ｒ，１２０Ｂが発光し，副画素１１０Ｒ，１１０Ｂ，１２０Ｇはブランク状態となって発光しない。
【００９５】
次いで，選択走査線ｓｅｌｅｃｔ１［２］に選択信号が印加される間，スイッチング素子Ｓ１，Ｓ３，Ｓ５をターンオンさせ，スイッチング素子Ｓ２，Ｓ４，Ｓ６をターンオフさせる。これにより，データ線Ｄａｔａ［２ｉ−３］，Ｄａｔａ［２ｉ−１］，Ｄａｔａ［２ｉ＋１］にだけデータ信号が印加され，データ線Ｄａｔａ［２ｉ−２］，Ｄａｔａ［２ｉ］，Ｄａｔａ［２ｉ＋２］ではデータ信号が遮断される。
【００９６】
したがって，発光走査線ｓｅｌｅｃｔ２［２］に発光信号が印加されると，選択走査線ｓｅｌｅｃｔ１［２］およびデータ線Ｄａｔａ［２ｉ−３］，Ｄａｔａ［２ｉ−１］，Ｄａｔａ［２ｉ＋１］に連結された副画素が発光する。一方，選択走査線ｓｅｌｅｃｔ１［２］およびデータ線Ｄａｔａ［２ｉ−２］，Ｄａｔａ［２ｉ］，Ｄａｔａ［２ｉ＋２］に連結された副画素はブランク状態となって発光しない。
【００９７】
このような方法でスイッチング素子Ｓ１〜Ｓ６を交互にオン／オフさせると，奇数番目の選択走査線と偶数番目のデータ線に連結された副画素と，偶数番目の選択走査線と奇数番目のデータ線に連結された副画素とにのみ，データ信号が書き込まれて発光することになる。
【００９８】
このように，第４の実施形態によると，隣接した副画素が交互に点灯することにより，パネル上に表示される画像が粗く見える現象を減少させることができる。したがって，表示装置の画質を改善することができる。
【００９９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１００】
本発明は，逆多重化装置とこれを用いる表示装置に適用可能であり，特にデータ電流を逆多重化するための逆多重化装置に適用可能である。
【図面の簡単な説明】
【０１０１】
【図１】本発明の一の実施形態にかかる表示装置を示す概略平面図である。
【図２】本発明の一の実施形態にかかる逆多重化部の内部構成を示す回路図である。
【図３】第１の実施形態にかかる逆多重化部と画素回路の連結関係を示す回路図である。
【図４】第２の実施形態にかかる逆多重化部の第１のフィールドでの駆動タイミングを示す図である。
【図５】第１のフィールドで点灯する画素を示す概略平面図である。
【図６】第２の実施形態にかかる逆多重化部の第２のフィールドでの駆動タイミングを示す図である。
【図７】第２のフィールドで点灯する画素を示す概略平面図である。
【図８】第３の実施形態にかかる逆多重化部と副画素回路の連結関係を示す回路図である。
【図９】第４の実施形態にかかる逆多重化部と副画素回路の連結関係を示す回路図である。
【図１０】第１のフィールドにおいて，第３および第４の実施形態による逆多重化部の駆動タイミングを示す図である。
【図１１】第２のフィールドにおいて，第３および第４の実施形態による逆多重化部の駆動タイミングを示す図である。
【符号の説明】
【０１０２】
１００    表示パネル
１１０，１１０ａ，１１０ｂ    画素回路
１１０Ｒ，１１０Ｇ，１１０Ｂ，１２０Ｒ，１２０Ｇ，１２０Ｂ    副画素
２００，３００    走査駆動部
４００    データ駆動部
５００    逆多重化部
【図１】
2006018297.tif 000003
【図２】
2006018297.tif 000004
【図３】
2006018297.tif 000005
【図４】
2006018297.tif 000006
【図５】
2006018297.tif 000007
【図６】
2006018297.tif 000008
【図７】
2006018297.tif 000009
【図８】
2006018297.tif 000010
【図９】
2006018297.tif 000011
【図１０】
2006018297.tif 000012
【図１１】
2006018297.tif 000013